(57)【要約】【課題】経済的に部屋の雰囲気を種々変えることができ、しかも交換が簡便であるカーテンを提供する。【解決手段】カーテンは室内のインテリアとして重要な地位を占めている。本考案のカーテンは、上端部近くにハトメ部材４ａで補強した通孔４を左右方向に一定間隔で設け、各通孔４に装飾レール６を挿通させて吊下げるようにし、カーテン１を通孔４の下部で上下に分割して上部カーテン２と下部カーテン３としている。そして、その境界部分にスライドファスナー５を配置している。上部カーテン２と下部カーテン３は異なるデザインのものを複数備えて適宜組み合わせて使用する。上部カーテン２は、革製または可撓性のある合成樹脂製としてもよい。【選択図】 図２
0003116065.tif 000002
【実用新案登録請求の範囲】
【請求項１】
カーテンの上端部近くに左右方向へ一定間隔でハトメ部材で補強した通孔を設け、該各通孔に装飾レールを挿通させて吊下げるようにしたカーテンにおいて、該カーテンを該通孔の下部で上下に分割して上部カーテンと下部カーテンとし、その境界部分にスライドファスナーを配置し、該上部カーテンと下部カーテンは異なるデザインのものを複数備えて適宜組み合わせて使用することを特徴とするカーテン。
【請求項２】
前記上部カーテンは、革製または可撓性のある合成樹脂としたことを特徴とする請求項１記載のカーテン。
【考案の詳細な説明】
【技術分野】
【０００１】
本考案はインテリアとして好適なカーテンに関するものである。
【背景技術】
【０００２】
近年、カーテンは遮光や目隠しの機能を満たすだけでなく、インテリアとして重要な地位を占め、デザインも多様化している。また、カーテンを吊り下げるための部材も装飾レールの使用が増加している。装飾レールを使用するカーテンは、装飾レールを挿通させるためのリングを上端に一定間隔で逢着したり、上端部近くに左右方向へ一定間隔でハトメで補強した通孔を設けている。
【０００３】
装飾レールは、内壁に固設された支持金具に両端が支持され、一般に簡単に上方へ取外せるようにしているので、カーテンレール方式に比べ、カーテンを簡便に交換することができる。また、ハトメ部材で補強した通孔を設けたカーテンは、装飾レールで該通孔を挿通してウエーブをつけるようにしており、襞加工を施さないので、保管などの取り扱いが簡便である。
【考案の開示】
【考案が解決しようとする課題】
【０００４】
上記のハトメ部材で補強した通孔へ装飾レールを挿通して吊り下げたカーテンは独特の雰囲気があり、取り扱いが簡便であるので、デザインの異なるものを複数所有して、適宜交換して使用したいという要望がある。しかしながら、近年は、住宅やマンションの間取りが多様化しており、カーテンのサイズも一定ではないので、製作に時間がかかり費用も嵩むので、沢山のカーテンを所持することは困難である。
【０００５】
そこで、本考案は、経済的に部屋の雰囲気を種々変えることができ、しかも交換が簡便であるカーテンを提供することを目的としている。
【課題を解決するための手段】
【０００６】
本考案のカーテンは、上記の目的を達成するため次の手段を採った。すなわち、カーテンの上端部近くに左右方向へ一定間隔でハトメ部材で補強した通孔を設け、該各通孔に装飾レールを挿通させて吊下げるようにしたカーテンにおいて、該カーテンを該通孔の下部で上下に分割して上部カーテンと下部カーテンとし、その境界部分にスライドファスナーを配置し、該上部カーテンと下部カーテンは異なるデザインのものを複数備えて適宜組み合わせて使用することを特徴としている。
【０００７】
上部カーテンと下部カーテンに分割する位置は、特に限定しないが、通孔の下部で通孔からそれほど離れてないところである。
上部カーテンは、請求項２に示すように、革、合成樹脂（可撓性のあるもの）など布製でなくてもよく、また、ビロードや毛布など、通常は、カーテンには使用されない材料でもよい。なお、上部カーテンには下部カーテンの重量がかかるので、丈夫な生地にするのがよい。
【０００８】
ハトメ部材で補強した通孔は、一般的な円または楕円でなくてもよい。また、大きさも、特に限定しない。また、装飾レールの材質や形状も、特に限定しない。例えばロープ状のものでもよい。スライドファスナーは、金属製または合成樹脂製のいずれでもよい。
上部カーテンと下部カーテンは、同数である必要はない。上部カーテンを１〜２枚として、下部カーテンを多数とするとよい。この場合、上部カーテンは、できるだけ多くの下部カーテンのデザインに整合するデザインとするとよい。
【考案の効果】
【０００９】
本考案のカーテンは、通孔の下部で上下に分割して上部カーテンと下部カーテンとし、その境界部分にスライドファスナーを配置し、上部カーテンと下部カーテンは異なるデザインのものを複数備えて適宜組み合わせて使用するようにしたので、従来にはないデザインを創出できるばかりでなく、少いカーテンで多種のデザインが作られる。さらに、下部カーテンだけを交換するときは、上部カーテンを取り付けたままでも行えるので、簡便である。また、供給する側からは、上部カーテンを標準化して予め生産しておくことができ、しかも、下部カーテンはハトメ部材が設けられていないので、安価に速く作れ、保管や製品管理が容易で顧客の多様な要求にも対応しやすいといった実用的な効果もある。
【考案を実施するための最良の形態】
【００１０】
以下、本考案のカーテンの実施の形態について図１ないし図４に基づいて説明する。
図１に示すように、カーテン１は、上部カーテン２と下部カーテン３に分割され、その境界面にはスライドファスナー５が付設されている。
上部カーテン２の丈は、下部カーテン３に比べて極端に短く、その中央部には、左右方向へ一定間隔でハトメ部材４ａで補強された円形の通孔４が設けられている。
スライドファスナー５は、上部カーテン２の下端に逢着された上ファスナー５ａと下部カーテン３の上端に逢着された下ファスナー５ｂと、開閉するためのスライダー５ｃとで構成されている。
図２は、左側半分のカーテン１を装飾レール６へ取り付けた状態を示しており、装飾レール６を通孔４へ挿通させることにより、自動的にウエーブが形成される。  
【００１１】
装飾レール６は、図３に示すように、内壁に固設された断面Ｕ字状の支持金具７にその両端部を架設し、固定部材８で固定している。また、両端の支持金具７のほぼ中間位置に支持金具７と同様な補助金具９が設けられている。
なお、装飾レール６は、ここでは、木製で、両端部には飾を設けてないものを使用している。
図４はカーテン１を装飾レール６へ取り付けた状態を示す斜視図であり、ウエーブと上部カーテン２と下部カーテン３の組み合わせによって、種々のデザインを作り出すことができる。
【００１２】
上部カーテン２と下部カーテン３はそれぞれデザインの異なるものを複数所有し、適宜組み合わせて使用する。なお、上部カーテン２および下部カーテン３とも襞加工は行っていない。
上部カーテン２は、例えば革製やビロードなど豪華なものを使用すると、従来にはない豪華な雰囲気のデザインが得られる。下部カーテン３は通常の生地およびデザインのカーテンのほか、レースのカーテンも含めることができる。
【００１３】
カーテン１の交換は、季節などによって適宜行う。例えば、朝には、下部カーテン３をレースとし、夕方に厚手のものに取り替えることもできる。この場合、上部カーテン２は、取り替えずに下部カーテン３のみを取り替えてもよい。
カーテン１を交換するときは、固定部材８（通常はネジ）を外して、装飾レール６を支持金具７から外し、取り付けられていたカーテン１を外して新たなカーテン１を装飾レール６へ取り付ける。新たなカーテン１の上部カーテン２と下部カーテン３の連結は床上で行う。
【００１４】
なお、下部カーテン３のみを替える場合、足場が安全であり、又は、装飾レール６が手の届く高さであれば、装飾レール６を外さずに、スライドファスナー５の係脱によっても行うことができる。
この作業は、脚立や踏み台などを使用して高所で行うか、両腕を上方へ伸ばして行うこととなるので、下部カーテン３の下ファスナー５ｂのスライダー５ｃへの係着を容易にできるようにしている。
すなわち、このスライドファスナー５には図示してないが、下止部分に下ファスナー５ｂを位置決めするための簡易フックが付設されており、下部カーテン３を取り付けるときは、スライダー５ｃに下部カーテン３のエレメント（務歯）を噛み合わせる前に、簡易フックを係止させる。これにより、下ファスナー５ｂを容易に係着させることができる。
【００１５】
なお、このような簡易フック付のスライドファスナー５を使用せずに、上部カーテン２の両端に、フックのついた帯状の仮留紐を逢着するとともに、下部カーテン３の上部両端に該フックに係止するフックを付設してもよい。この場合は、下部カーテン３を取り付けるときに、予めフックを係止させることにより、下部カーテン３は上部カーテン２に吊持されるので、下ファスナー５ｂをスライダー５ｃへ容易に係着することができる。
【図面の簡単な説明】
【００１６】
【図１】本考案のカーテンの全体を示す正面図である。
【図２】同  カーテンを装飾レールへ取り付けた状態を示すもので、（ａ）は平面図で、（ｂ）は正面図である。
【図３】同  装飾レールの支持状態を示す一部断面の側面図である。
【図４】同  カーテンを装飾レールへ取り付けた状態を示す斜視図である。
【符号の説明】
【００１７】
１  カーテン 
２  上部カーテン
３  下部カーテン
４  通孔
４ａ  ハトメ部材
５  スライドファスナー
５ａ  上ファスナー
５ｂ  下ファスナー
５ｃ  スライダー
６  装飾レール
７  支持金具
８  固定部材
９  補助金具
【図１】
0003116065.tif 000003
【図２】
0003116065.tif 000004
【図３】
0003116065.tif 000005
【図４】
0003116065.tif 000006